(57)【要約】【課題】芳香剤が錠剤等であっても、短時間のうちに香りを揮散させて室内等の全体を充分な芳香で満たすことのできる板状体保持具を提供する。【解決手段】扇風機のファンカバーに放射状に設けられた２本の線材に着脱自在に架設される板状体保持具であって、平板部１と、この平板部１の表面の外周部側に上向きに突設された保持部２と、上記平板部１の裏面の外周部側に相対向状に下向きに突設された左右一対の固定部とを備えている。そして、上記平板部１が、上記ファンカバーの放射状線材のうち上側に位置する２本の線材をまたいだ状態で、上記平板部１の左右の固定部が２本の線材に係止されて上記ファンカバーに取り付けられ、その状態で上記平板部１と保持部２とで、板状の薬錠剤もしくは薬液含浸体からなる板状体５が支受されて保持され、上記板状体５に対応する上記平板部１の部分に中央穴１１と外側穴１２が形成されている。【選択図】図１
2008115778.tif 000002
【特許請求の範囲】
【請求項１】
扇風機のファンカバーに放射状に設けられた２本の線材に着脱自在に架設される板状体保持具であって、平板部と、この平板部の表面の外周部側に上向きに突設された保持部と、上記平板部の裏面の外周部側に相対向状に下向きに突設された左右一対の固定部とを備え、上記平板部が、上記ファンカバーの放射状線材のうち上側に位置する２本の線材をまたいだ状態で、上記平板部の左右の固定部が２本の線材に係止されてファンカバーに取り付けられ、その状態で上記平板部と保持部とで、板状の薬錠剤もしくは薬液含浸体からなる板状体が支受されて保持され、上記板状体に対応する上記平板部の部分に、板状体の薬成分を気化させる通風用貫通穴が形成されていることを特徴とする板状体保持具。
【請求項２】
上記平板部の中央部分に中央通風用貫通穴が形成され、この中央通風用貫通穴の外側部分に外側通風用貫通穴が形成されている請求項１記載の板状体保持具。
【発明の詳細な説明】
【技術分野】
【０００１】
本発明は、芳香等を放散する板状体が保持され、扇風機のファンカバーに着脱自在に固定して用いられる板状体保持具に関するものである。
【背景技術】
【０００２】
従来から、室内を所望の匂い等にするため、所望の匂いがする芳香剤等を収容した容器を室内の隅部等に置くことがよく行われているが、この方法では、芳香剤等から放たれる所望の匂い等が室内の全体に行きわたりにくく、また行きわたったとしても、これに時間がかかる。
【０００３】
そこで、扇風機の風を利用することにより、所望の匂い等を室内等の全体に短時間で行きわたらせることができるものとして、例えば、図２０に示すような扇風機取付用芳香容器が提案されている。この扇風機取付用芳香容器は、扇風機のカバー３０に着脱自在に取付られる取付ステー３１と、芳香剤（図示せず）が収容された通気性容器体３２とからなっている。上記取付ステー３１は、図２１に示すように、ステー基板部３３と容器係合部３４とを連結部３５で連結したもので構成されており、この連結部３５の両側に溝３６が形成されている。また、上記取付ステー３１の容器係合部３４に設けた突起３４ａに通気性容器体３２を着脱自在に係止しうるようにしている。
【０００４】
そして、上記扇風機取付用芳香容器を扇風機のカバー３０に固定する場合には、まず、扇風機のカバー３０に放射状に設けられたワイヤ３７のうち任意の隣接する２本のワイヤ３７間に取付ステー３１を、この取付ステー３１の幅より上記両ワイヤ３７の間隔が広いところから挿入する。つぎに、上記取付ステー３１の両溝３６のいずれか一方に上記両ワイヤ３７のいずれか一方を嵌め込んで中心側にスライドさせると、上記両ワイヤ３７間の間隔が狭くなるため、他方の溝３６にも他方のワイヤ３７が嵌まり込み、上記取付ステー３１を両ワイヤ３７間に挟持固定することができる。その状態で、上記取付ステー３１に通気性容器体３２を係止すると、芳香剤から放散される芳香が通気性容器体３２の通気口３８を通って外部に流出したのち、扇風機の風で室内等の全体に行きわたり、芳香を楽しむことができる（例えば、特許文献１参照）。
【特許文献１】登録実用新案第３０５４７６１号公報
【発明の開示】
【発明が解決しようとする課題】
【０００５】
しかしながら、上記の扇風機取付用芳香容器では、通気性容器体３２内で芳香剤から放散されたのち通気口３８を通って通気性容器体３２外に流出した芳香を、扇風機の風に乗せて室内等の全体に行きわたらせるようにしているため、芳香剤が、錠剤等のように、香りが揮散しにくいものである場合には、芳香剤から充分な香りが短時間で揮散されず、芳香を楽しむのに長時間かかる。
【０００６】
本発明は、このような事情に鑑みなされたもので、上記芳香剤が錠剤等であっても、短時間のうちに香りを揮散させて室内等の全体を充分な芳香で満たすことのできる板状体保持具の提供をその目的とする。
【課題を解決するための手段】
【０００７】
上記の目的を達成するため、本発明の板状体保持具は、扇風機のファンカバーに放射状に設けられた２本の線材に着脱自在に架設される板状体保持具であって、平板部と、この平板部の表面の外周部側に上向きに突設された保持部と、上記平板部の裏面の外周部側に相対向状に下向きに突設された左右一対の固定部とを備え、上記平板部が、上記ファンカバーの放射状線材のうち上側に位置する２本の線材をまたいだ状態で、上記平板部の左右の固定部が２本の線材に係止されてファンカバーに取り付けられ、その状態で上記平板部と保持部とで、板状の薬錠剤もしくは薬液含浸体からなる板状体が支受されて保持され、上記板状体に対応する上記平板部の部分に、板状体の薬成分を気化させる通風用貫通穴が形成されているという構成をとる。
【発明の効果】
【０００８】
すなわち、本発明の板状体保持具は、板状体として、板状の薬錠剤もしくは薬液含浸体が用いられており、これが、平板部と、この平板部の表面の外周部側に上向きに突設された保持部とで支受されて保持されている。また、上記板状体に対応する上記平板部の部分に、上記板状体の薬成分を気化させる通風用貫通穴が形成されている。したがって、本発明の板状体保持具を、上記平板部の裏面の外周部側に相対向状に下向きに突設された左右一対の固定部により、扇風機のファンカバーに放射状に設けられた２本の線材に着脱自在に架設し、その状態で、扇風機を作動させると、扇風機のファンにより起風された風がファンカバーを通って室内等に送られるとともに、上記平板部に形成された通風用貫通穴を通って板状体の裏面に直接送られてこれに強く当たり、板状体の薬成分を気化させて板状体の裏面からの香りの揮散を促し、かつ、板状体の表面にも直接送られてこれに当たり、板状体の薬成分を気化させて板状体の表面からの香りの揮散を促す。このため、板状体が、薬錠剤等のように、香りが揮散しにくいものであっても、短時間で香りを揮散させて、室内等の全体を充分な芳香で満たし、その芳香を楽しむことができる。なお、本発明において、「板状の薬錠剤」とは、薬剤（例えば殺虫剤，防虫剤）や芳香剤等を板状に成形したものを指し、「板状の薬液含浸体」とは、液状，ゼリー状等の薬剤や芳香剤等を含浸，含有等させた紙，布等を板状に成形したものを指し、「薬成分」とは、殺虫成分，防虫成分や芳香成分等を指す。
【０００９】
また、本発明において、上記平板部の中央部分に中央通風用貫通穴が形成され、この中央通風用貫通穴の外側部分に外側通風用貫通穴が形成されている場合には、扇風機の風を板状体の裏面の中央部分およびその外側部分に確実に当てることができるうえ、中央通風用貫通穴を通して板状体の裏面の中央部分に当てた風の一部を、外側通風用貫通穴を通して板状体の裏面の外側部分にも当てることができ、これにより、板状体の裏面に当たる風量が増し、上記香りの揮散効果がさらに高まる。
【発明を実施するための最良の形態】
【００１０】
つぎに、本発明を実施するための最良の形態について説明する。ただし、本発明は、この実施の形態に限られるものではない。
【００１１】
図１および図２は本発明の板状体保持具の一実施の形態を示している。この実施の形態では、板状体５（図３および図４参照）として、液体芳香剤をしみ込ませた紙を円盤状に成形したものが用いられており、除放性を有している。これらの図において、１は金属製もしくは合成樹脂製等の平板部であり、使用時には通常の場合、縦向きに（図３参照）して用いられる。上記平板部１は横長の略四角形状体からなり、一側辺（使用時には、上辺となる）はやや上方に湾曲し、左右両側辺の上側部分は略直線状に形成されているとともに、下側部分が内側に向かって湾曲し、他側辺（使用時には、下辺となる）は上記一側辺側に凹入状に湾曲している。
【００１２】
また、上記平板部１には、その中央部に、略四角形状の中央穴（中央通風用貫通穴）１１が形成されているとともに、その左右両側に、その外周縁部に沿って延びる左右一対の外側穴（外側通風用貫通穴）１２が、後述する折り曲げ部１４に相対向する状態で形成されている。
【００１３】
また、上記平板部１には、その表面（使用時には、前面となる）の左右両側縁部から、これに沿って延びる左右一対の保持部２が（上記平板部１と一体成形されて）上向きに突設されている。これら両保持部２はそれぞれ、断面形状略Ｌ字状に折り曲げ形成されており、上記平板部１の左右両側縁部から立設される側板部１３と、これら両側板部１３の上端縁（使用時には、前端縁となる）から内側に向かって、上記平板部１と略平行に延びる折り曲げ板部１４とからなっている。そして、上記平板部１と両保持部２とで板状体５が、使用時に上記両保持部２の下部で落下防止状に受け止められるようにして、保持される。
【００１４】
また、上記平板部１には、その裏面（使用時には、後面となる）の左右両側縁部から左右一対の固定板（固定部）３が、互いに平行となる状態で（上記平板部１と一体成形されて）下向きに突設されている。これら両固定板３は、正面視（使用時には、平面視）でやや内側に湾曲しており、これにより、上記両固定板３の外側面が湾曲溝部３ａに形成されている。これら両固定板３は、使用時に、扇風機６のファン７を保護するファンカバー８（図６参照）の前面に係止される。
【００１５】
上記の構成において、本発明の板状体保持具を上記ファンカバー８の前面に取り付ける場合には、このファンカバー８に放射状に設けられた多数のワイヤ（線材）１６のうち、ファンカバー８の上側位置で隣接する２本のワイヤ１６間に上記板状体保持具の平板部１を、この平板部１の横幅よりも上記両ワイヤ１６の間隔が広い所で挿入し（このとき、両保持部２はファンカバー８の前側に向けておく）、つぎに、平板部１を中央側（両ワイヤ１６の間隔が狭くなる挿）に移動させて、平板部１の両固定板３の湾曲溝部３ａを両ワイヤ１６の内側面に当接させるとともに少し押し付け、これにより、両ワイヤ１６の弾性変形を利用して両ワイヤ１６に両固定板３を係止することを行う。このような方法により、上記両固定板３の係止を行うことができるため、扇風機６の大きさ，形状に左右されることなく、本発明の板状体保持具を扇風機６のファンカバー８の前面に取り付けることができる。
【００１６】
また、本発明の板状体保持具をファンカバー８の前面に取り付けた状態で、板状体５を平板部１と両保持部２との間に挿入して保持し、扇風機６を作動させると、扇風機６のファン７で起風される風がファンカバー８を通って室内等の全体に短時間で行きわたる。このとき、扇風機６の風が平板部１の中央穴１１および両外側穴１２を通って板状体５の裏面に直接送られてこれに強く当たり、板状体５の裏面からの香りの揮散が促されるとともに、板状体５の表面にも直接送られてこれに当たり、板状体５の表面からの香りの揮散も促される。そして、板状体５の裏面および表面から揮散が促進された充分な香りが室内等の全体に短時間で行きわたる。
【００１７】
このように、上記実施の形態では、扇風機６からの風により、板状体５の裏面からの香りの揮散が促されるとともに、板状体５の表面からの香りの揮散も促されるため、板状体５が、この実施の形態のように、液体芳香剤をしみ込ませた紙を円盤状に成形したものである場合だけでなく、錠剤等のように香りが揮散しにくいものであっても、短時間で香りを揮散させて、室内等の全体を充分な芳香で満たし、その芳香を楽しむことができる。しかも、上記平板部１に中央穴１１および両外側穴１２が形成されているため、扇風機６からの風を板状体５の裏面の中央部分およびその外側部分に確実に当てることができるうえ、中央穴１１を通して板状体５の裏面の中央部分に当てた風の一部を、その横にある外側穴１２を通して板状体５の裏面の外側部分にも当てることができ（図５参照）、上記香りの揮散効果がさらに高まる。
【００１８】
図７および図８は本発明の板状体保持具の他の実施の形態を示している。この実施の形態では、上記実施の形態において、左右一対の固定部３がそれぞれ、下方に向かって開口するコ字状部材で構成されている（図９〜図１１参照）。すなわち、上記両固定部３は、相対向する内外二重壁２１，２２と、これら内外二重壁２１，２２の上端部（固定部３側の端部）同士を連結する連結部２３（この連結部２３は、形成されていなくてもよい）とで構成されており、上記内外二重壁２１，２２のうち、内側壁２１は、上記実施の形態における固定板３と同様構造に形成され、外側壁２２は、正面視（使用時には、平面視）でやや外側に湾曲しており、これにより、上記外側壁２２の内側面が湾曲溝部２２ａに形成されている。図８において、２１ａは上記内側壁２１の湾曲溝部である。それ以外の部分は上記実施の形態と同様であり、同様の部分には同じ符号を付している。この実施の形態でも、上記実施の形態と同様の作用・効果を奏する。しかも、上記内外二重壁２１，２２により、ファンカバー８の２本のワイヤ１６をそれぞれ、上記内外二重壁２１，２２で挟持するようにして固定することができ、固定が強固になる。
【００１９】
図１２および図１３は本発明の板状体保持具のさらに他の実施の形態を示している。この実施の形態では、図１〜図５に示す実施の形態において、平板部１の下側部分が略半円弧状に形成されており、これにより、保持部２および外側穴１２もそれぞれ、半円弧状に形成され、１つだけ設けられている（図１４および図１５参照）。それ以外の部分は図１〜図５に示す実施の形態と同様であり、同様の部分には同じ符号を付している。この実施の形態でも、図１〜図５に示す実施の形態と同様の作用・効果を奏する。しかも、平板部１の下側部分に略半円弧状の保持部２が形成されているため、この保持部２に、板状体５として、香りの揮散により縮径する錠剤を保持することができる。
【００２０】
図１６および図１７は本発明の板状体保持具のさらに他の実施の形態を示している。この実施の形態では、図１２〜図１５に示す実施の形態において、左右一対の固定部３がそれぞれ、下方に向かって開口するコ字状部材で構成されている。すなわち、上記両固定部３は、相対向する内外二重壁２４，２６と、これら内外二重壁２４，２６の上端部（固定部３側の端部）同士を連結する連結部２５（この連結部２５は、形成されていなくてもよい）とで構成されており、上記内外二重壁２４，２６のうち、内側壁２６は、上記実施の形態における固定板３と同様構造に形成され、外側壁２４は、正面視（使用時には、平面視）でやや外側に湾曲しており、これにより、上記外側壁２４の内側面が湾曲溝部２４ａに形成されている。図１７において、２６ａは上記内側壁２６の湾曲溝部である。それ以外の部分は図１２〜図１５に示す実施の形態と同様であり、同様の部分には同じ符号を付している。この実施の形態でも、図１２〜図１５に示す実施の形態と同様の作用・効果を奏する。しかも、ファンカバー８の２本のワイヤ１６をそれぞれ、上記内外二重壁２４，２６で挟持するようにして固定することができ、固定が強固になる。
【００２１】
なお、上記各実施の形態では、左右一対の固定部３を隣接する２本のワイヤ１６に係止しているが、これに限定するものではなく、隣接していない２本のワイヤ１６に係止してもよい（すなわち、両固定部３を係止する２本のワイヤ１６間に１本もしくは複数本のワイヤ１６があってもよい）。
【００２２】
また、上記各実施の形態において、ファンカバー８がファン７の前後にある場合には、そのいずれか一方もしくは双方に本発明の板状体保持具を固定してもよい。また、上記各実施の形態において、平板部１に外側穴１２は形成されていなくてもよい。
【図面の簡単な説明】
【００２３】
【図１】本発明の板状体保持具の一実施の形態を示す斜視図である。
【図２】上記板状体保持具の要部を示す斜視図である。
【図３】上記板状体保持具に板状体を保持した状態を示す正面図である。
【図４】上記板状体保持具に板状体を保持した状態を示す斜視図である。
【図５】上記板状体保持具に板状体を保持した状態を示す斜視図である。
【図６】扇風機の説明図である。
【図７】本発明の板状体保持具の他の実施の形態を示す斜視図である。
【図８】上記板状体保持具の要部を示す斜視図である。
【図９】上記板状体保持具に板状体を保持した状態を示す正面図である。
【図１０】上記板状体保持具に板状体を保持した状態を示す斜視図である。
【図１１】上記板状体保持具に板状体を保持した状態を示す斜視図である。
【図１２】本発明の板状体保持具のさらに他の実施の形態を示す平面図である。
【図１３】上記板状体保持具の要部を示す斜視図である。
【図１４】上記板状体保持具に板状体を保持した状態を示す斜視図である。
【図１５】上記板状体保持具に板状体を保持した状態を示す斜視図である。
【図１６】本発明の板状体保持具のさらに他の実施の形態を示す平面図である。
【図１７】上記板状体保持具の要部を示す斜視図である。
【図１８】上記板状体保持具に板状体を保持した状態を示す斜視図である。
【図１９】上記板状体保持具に板状体を保持した状態を示す斜視図である。
【図２０】従来例の説明図である。
【図２１】取付ステーの側面図である。
【符号の説明】
【００２４】
１  平板部
２  保持部
１１  中央穴
１２  外側穴
【図１】
2008115778.tif 000003
【図２】
2008115778.tif 000004
【図３】
2008115778.tif 000005
【図４】
2008115778.tif 000006
【図５】
2008115778.tif 000007
【図６】
2008115778.tif 000008
【図７】
2008115778.tif 000009
【図８】
2008115778.tif 000010
【図９】
2008115778.tif 000011
【図１０】
2008115778.tif 000012
【図１１】
2008115778.tif 000013
【図１２】
2008115778.tif 000014
【図１３】
2008115778.tif 000015
【図１４】
2008115778.tif 000016
【図１５】
2008115778.tif 000017
【図１６】
2008115778.tif 000018
【図１７】
2008115778.tif 000019
【図１８】
2008115778.tif 000020
【図１９】
2008115778.tif 000021
【図２０】
2008115778.tif 000022
【図２１】
2008115778.tif 000023